(57)【特許請求の範囲】
【請求項１】
柱等の建築部材に対してスイッチ等の器具類を取り付けるのに用いられる器具類取付部材であって、
建築部材に対して右側に配置される第１の取付部品と、建築部材に対して左側に配置される第２の取付部品とから構成され、
前記第１の取付部品は、前記建築部材の幅方向に延びる第１正面板と、該第１正面板の幅方向の右端部から後方に延び、かつ前記建築部材の右側の側面に係合する第１建築部材係合板と、前記第１正面板の幅方向の左端部から前方に延び、かつ前記器具類の左側の側面に係合する第１器具類係合板とからなり、
前記第２の取付部品は、前記建築部材の幅方向に延びる第２正面板と、該第２正面板の幅方向の左端部から後方に延び、かつ前記建築部材の左側の側面に係合する第２建築部材係合板と、前記第２正面板の幅方向の右端部から前方に延び、かつ前記器具類の右側の側面に係合する第２器具類係合板とからなり、
前記第１および第２建築部材係合板が互いに前記両正面板の後方にて対向し、かつ第１および第２器具類係合板が互いに前記両正面板の前方にて対向する態様で、第１の取付部品または第２の取付部品のいずれか一方の正面板が、他方の正面板と器具類係合板との間に摺動可能に挿通されてなることを特徴とする器具類取付部材。
【請求項２】
前記第１器具類係合板および／または第２器具類係合板は、その内側にバネ板が設けられるものである請求項１に記載の器具類取付部材。
【発明の詳細な説明】
【０００１】
【発明の属する技術分野】
この発明は、柱等の建築部材に対してスイッチ等の器具類を取り付けるのに用いられる器具類取付部材に関する。
【０００２】
【従来の技術および発明が解決しようとする課題】
従来、柱等の建築部材に対してスイッチ等の器具類を取り付けるには、まず建築部材に器具類取付部材をビス、釘、あるいは接着剤等の固着部材により固着し、その器具類取付部材にスイッチ等の器具類を取り付けるというものであった。
【０００３】
しかしながら、このような従来の器具類取付部材では、器具類取付部材そのものの他にビス等の固着部材が必要であり構成部品数が多く、運搬、保管時等の保守管理が厄介であった。また、建築部材に取付部材をビス等の固着部材により固着するのは工具類が必要でその作業も面倒であり、しかも一度固着してしまうと建築部材から器具類取付部材を取り外す場合も工具類が必要でその作業も面倒であった。さらに、器具類取付部材が取り外されたあとの建築部材にはビス等の固着部材の痕が残り外観性も悪い。特に工事現場等に用いられる仮設建築物については、作業の効率化、資材の繰り返し利用の観点からそれらの問題はさらに大きくなる。
【０００４】
この発明は、上述の問題に鑑みてなされたものであって、構成部品数が少なく、また工具類を必要とすることなく建築部材に対する器具類の取り付けおよび取り外しが容易に行え、さらに器具類の取り付け時および取り外し後の外観性も良く、それでいて十分な取り付け強度が得られる器具類取付部材の提供を課題とする。
【０００５】
【課題を解決するための手段】
この発明は、上記課題を解決するために、柱等の建築部材に対してスイッチ等の器具類を取り付けるのに用いられる器具類取付部材であって、
建築部材に対して右側に配置される第１の取付部品と、建築部材に対して左側に配置される第２の取付部品とから構成され、
前記第１の取付部品は、前記建築部材の幅方向に延びる第１正面板と、該第１正面板の幅方向の右端部から後方に延び、かつ前記建築部材の右側の側面に係合する第１建築部材係合板と、前記第１正面板の幅方向の左端部から前方に延び、かつ前記器具類の左側の側面に係合する第１器具類係合板とからなり、
前記第２の取付部品は、前記建築部材の幅方向に延びる第２正面板と、該第２正面板の幅方向の左端部から後方に延び、かつ前記建築部材の左側の側面に係合する第２建築部材係合板と、前記第２正面板の幅方向の右端部から前方に延び、かつ前記器具類の右側の側面に係合する第２器具類係合板とからなり、
前記第１および第２建築部材係合板が互いに前記両正面板の後方にて対向し、かつ第１および第２器具類係合板が互いに前記両正面板の前方にて対向する態様で、第１の取付部品または第２の取付部品のいずれか一方の正面板が、他方の正面板と器具類係合板との間に摺動可能に挿通されてなることを特徴とする。
【０００６】
これによれば、前記第１および第２建築部材係合板を離間方向に移動せしめると、前記第１および第２正面板が互いに摺動し、それに伴って第１および第２器具類係合板が近接方向に移動する。一方、前記第１および第２建築部材係合板を近接方向に移動せしめると、前記第１および第２正面板が互いに摺動し、それに伴って第１および第２器具類係合板が離間方向に移動する。
【０００７】
しかして、器具類を建築部材に取り付けるに際しては、建築部材に対して前記第１および第２建築部材係合板を離間状態から近接方向に移動せしめることにより建築部材の両側面に挟持状態に係合せしめる。そして、それに伴って前記第１および第２器具類係合板が離間方向に移動し、それら第１および第２器具類係合板の間に器具類収容空間が形成されるので、該器具類収容空間に器具類を嵌め込むことにより、前記第１および第２器具類係合板を器具類の両側面に挟持状態に係合せしめる。
【０００８】
また、上記取り付け状態においては、仮に第１および第２建築部材係合板が離間方向に移動しようとしても、第１および第２正面板を介して連接されている第１および第２器具類係合板が器具類により近接方向に移動不可能であることから、第１および第２建築部材係合板が離間方向に移動することができず、柱は第１および第２建築部材係合板により両側からしっかりと挟持される。逆に、仮に第１および第２器具類係合板が離間方向に移動しようとしても、第１および第２器具類係合板に第１および第２正面板を介して連接されている第１および第２建築部材係合板が建築部材により近接方向に移動不可能であることから、第１および第２器具類係合板が離間方向に移動することができず、器具類は第１および第２器具類係合板により両側からしっかりと挟持される。
【０００９】
さらに、器具類を建築部材から取り外すに際しては、器具類を第１および第２器具類係合板間の器具類収容部から抜きとればよい。また、このとき、第１および第２器具類係合板が近接方向に移動可能となされ、それに伴って第１および第２建築部材係合板の離間方向の移動不可能状態が解除されるので、第１および第２建築部材係合板を離間方向に移動することにより器具類取付部材を建築部材から取り外すことができる。
【００１０】
また、前記第１器具類係合板および／または第２器具類係合板は、その内側にバネ板が設けられるものである場合、スイッチ等の器具類をを多少の誤差を許容しうる状態で内方に付勢し得る。
【００１１】
【発明の実施の形態】
次にこの発明を、スイッチ（Ｂ）を柱（Ａ）に取り付けるためのスイッチ取付部材に適用した実施形態について図面を参照しつつ説明する。
【００１２】
図１〜図４に示すように、このスイッチ取付部材は、柱（Ａ）に対して右側に配置される第１取付部品（１）と、柱（Ａ）に対して左側に配置される第２取付部品（２）とから構成される。これら第１および第２取付部品（１）（２）はいずれもスチール製のものである。
【００１３】
前記第１取付部品（１）は、柱の幅方向に延びる平面視矩形状の第１正面板（１１）と、該第１正面板（１１）の幅方向の右端部から後方に延び、かつ柱の右側面に係合する平面視矩形状の第１柱係合板（１２）と、前記第１正面板（１１）の幅方向の左端部から前方に延び、かつスイッチ（Ｂ）の左側面に係合する平面視矩形状の第１スイッチ係合板（１３）とからなる。
【００１４】
一方、前記第２取付部品（２）は、柱の幅方向に延びる平面視矩形状の第２正面板（２１）と、該第２正面板（２１）の幅方向の左端部から後方に延び、かつ柱の左側面に係合する平面視矩形状の第２柱係合板（２２）と、前記第２正面板（２１）の幅方向の右端部から前方に延びる態様で設けられ、かつスイッチの右側面に係合する平面視矩形状の第２スイッチ係合板（２３）とからなる。
【００１５】
そして、前記第１取付部品（１）の第１正面板（１１）が、第２取付部品（２）の第２正面板（２１）と第２スイッチ係合板（２３）との間に摺動可能に挿通されている。
【００１６】
即ち、図１に示すように、前記第１正面板（１１）の中央部に所定大の平面視矩形状の摺動用孔（１１ａ）が穿設される一方、第２スイッチ係合板（２３）の後端部に内方に屈曲する固定用屈曲縁（２３ｃ）が形成され、該固定用屈曲縁（２３ｃ）が前記第１正面板（１１）の摺動用孔（１１ａ）に対応する部分において噛み板（３）を介して第２正面板（２１）にスポット溶接等により固定されている。これにより、第１正面板（１１）は、第２正面板（２１）と第２スイッチ係合板（２３）との間に挿通された状態となり、摺動用孔（１１ａ）の幅方向の長さの範囲内において第２正面板（２１）の表面に沿って摺動しうる。なお、図１中の（７）はスポット溶接痕である。
【００１７】
前記第１柱係合板（１２）および第２柱係合板（２２）は、いずれも柱（Ａ）の奥行きに対応した幅を有し、その後端部には内方に屈曲する内方屈曲縁（１２ａ）（２２ａ）が形成されており、前記第１および第２正面板（１１）（２１）の後方にて対向している。しかして、上述の第１および第２正面板（１１）（２１）の摺動に伴って、第１および第２柱係合板（１２）（２２）が互いに近接離間方向に移動する。
【００１８】
前記第１スイッチ係合板（１３）および第２スイッチ係合板（２３）は、いずれもスイッチ（Ｂ）の奥行きに対応した幅を有し、その前端部には内方に屈曲する内方屈曲縁（１３ａ）（２３ａ）が形成されるとともに、その下端部にも内方に屈曲する内方屈曲縁（１３ｂ）（２３ｂ）が形成され、第１および第２正面板（１１）（２１）の前方にて対向している。しかして、上述の第１および第２正面板（１１）（２１）の摺動に伴って、第１および第２スイッチ係合板（１３）（２３）が近接方向に移動することによって、前記第１および第２スイッチ係合板（１３）（２３）と内方屈曲縁（１３ａ）（１３ｂ）（２３ａ）（２３ｂ）で囲まれる空間にスイッチ収容部（４）が形成され、該スイッチ収容部（４）にスイッチ（Ｂ）が収容され得る。
【００１９】
また、前記第１および第２スイッチ係合板（１３）（２３）は、いずれも内側において上部から下部にかけて緩やかに傾斜する板バネ（５）が設けられており、スイッチ収容部（４）に収容されるスイッチ（Ｂ）を多少の誤差を許容しうる状態で内方に付勢するようになっている。
【００２０】
なお、（６）は、スイッチ収容部（４）にスイッチを収容した際に、第２スイッチ係合板（２３）の固定用屈曲縁（２３ｃ）と第１正面板（１１）との間に生じる段差によって、スイッチ（Ｂ）がぐらつくことを防止するために設けられた噛ませ部材である。
【００２１】
次にスイッチ（Ｂ）を柱（Ａ）に取り付けるに際しては、図２に示すように、まず第１および第２柱係合板（１２）（２２）を離間方向に一杯に移動せしめ、その幅方向が柱（Ａ）の幅方向に対して平行となるような状態で第２正面板（２１）の裏面を柱（Ａ）の所定箇所に当接せしめる。
【００２２】
そして、上記状態において、第１および第２柱係合板（１２）（２２）に対して両側から内方に力を加えることによって、第１および第２柱係合板（１２）（２２）を近接方向（図１の白抜き矢印）に移動せしめ、第１および第２柱係合板（１２）（２２）を柱（Ａ）の両側面に挟持状態に係合させる。
【００２３】
また、前記第１および第２柱係合板（１２）（２２）が近接方向に移動することにより、前記第１および第２正面板（１１）（２１）が互いに摺動し、それに伴って第１および第２スイッチ係合板（１３）（２３）が離間方向（図１の白抜き矢印）に移動して、前記第１および第２スイッチ係合板（１３）（２３）と内方屈曲縁（１３ａ）（１３ｂ）（２３ａ）（２３ｂ）で囲まれる空間にスイッチ収容部（４）が形成されるので、図３に示すように、該スイッチ収容部（４）にスイッチ（Ｂ）を上方から嵌め込み、第１および第２スイッチ係合板（１３）（２３）をスイッチ（Ｂ）の両側面に挟持状態に係合させる。
【００２４】
この取り付け状態では、柱（Ａ）は第１および第２柱係合板（１２）（２２）により両側からしっかりと挟持されるともに、スイッチ（Ｂ）はバネ板（５）の付勢力と相俟って第１および第２スイッチ係合板（１３）（２３）により両側からしっかりと挟持されている。
【００２５】
即ち、仮に第１および第２柱係合板（１２）（２２）が離間方向に移動しようとしても、第１および第２正面板（１１）（２１）を介して連接されている第１および第２スイッチ係合板（１３）（２３）がスイッチにより近接方向に移動不可能であることから、第１および第２柱係合板（１２）（２２）が離間方向に移動することができず、柱（Ａ）は第１および第２柱係合板（１２）（２２）により両側からしっかりと挟持されることになる。逆に、仮に第１および第２スイッチ係合板（１３）（２３）が離間方向に移動しようとしても、第１および第２スイッチ係合板（１３）（２３）に第１および第２正面板（１１）（２１）を介して連接されている第１および第２柱係合板（１２）（２２）が柱（Ａ）により近接方向に移動不可能であることから、第１および第２スイッチ係合板（１３）（２３）が離間方向に移動することができず、スイッチ（Ｂ）はバネ板（５）の付勢力と相俟って第１および第２スイッチ係合板（１３）（２３）により両側からしっかりと挟持されることになる。
【００２６】
次に、スイッチ（Ｂ）を柱（Ａ）から取り外すに際しては、スイッチ（Ｂ）を第１および第２スイッチ係合板（１３）（２３）間のスイッチ収容部（４）から上方に向けて抜き取ればよい。また、このとき、第１および第２スイッチ係合板（１３）（２３）が近接方向に移動可能となされ、それに伴って第１および第２柱係合板（１２）（２２）の離間方向の移動不可能状態が解除されるので、第１および第２柱係合板（１２）（２２）を離間方向に移動させることによってスイッチ取付部材を柱（Ａ）から取り外す。
【００２７】
なお、この実施形態では、第１および第２柱係合板（１２）（２２）の後端部に内方屈曲縁（１２ａ）（２２ａ）を形成するものとしたが、それらを形成しなくてもよい。ただ、これら内方屈曲縁（１２ａ）（２２ａ）を形成しておけば、第１および第２柱係合板（１２）（２２）を柱（Ａ）の両側面に確実に係合させることができるので望ましい。
【００２８】
また、第１および第２スイッチ係合板（１３）（２３）の前端部および下端部に内方屈曲縁（１３ａ）（１３ｂ）（２３ａ）（２３ｂ）を形成するものとしたが、それらを形成しなくてもよい。ただ、この内方屈曲縁（１３ａ）（１３ｂ）（２３ａ）（２３ｂ）を形成しておけば、第１および第２スイッチ係合板（１３）（２３）をスイッチ（Ｂ）の両側面に確実に係合させることができるので望ましい。
【００２９】
また、第１および第２正面板（１１）（２１）、第１および第２柱係合板（１２）（２２）、第１および第２スイッチ係合板（１３）（２３）は、いずれも平面視矩形状に形成したが、その他の形状に形成してもよく、柱等の建築部材やスイッチ等の器具類の形状に合わせて様々に設計変更可能である。
【００３０】
また、第１取付部品（１）および第２取付部品（２）はスチール製のものとしたが、その他の材質のものであってもよい。
【００３１】
また、第１取付部品（１）の第１正面板（１１）を、第２取付部品（２）の第２正面板（２１）と第２スイッチ係合板（２３）との間に挿通させる態様は、上述の態様に限定されるものではない。例えば、図５に示すように、第１取付部品（１’）の第１正面板（１１’）を幅方向に細長い矩形状に形成する一方、第２取付部品（２’）の第２正面板（２１’）と第２スイッチ係合板（２３’）の上下部のみを噛み板（３’）（３’）を介してスポット溶接等により固定して、前記第１正面板（１１’）を前記噛み板（３’）（３’）間に摺動可能に挿通する態様が挙げられる。
【００３２】
【発明の効果】
この発明は、上記したような構成を有するものであって、釘、ビス、あるいは接着剤等の固着部材を用いずにスイッチ等の器具類を柱等の建築部材に取り付けるものであるから、従来品よりも構成部品数を少なくでき、運搬、保存等の保守管理に好都合である。
【００３３】
また、建築部材に対する器具類の取り付けは、建築部材に対して建築部材係合板を離間状態から近接方向に移動せしめることにより、建築部材係合板を建築部材の両側面に挟持状態に係合せしめ、さらにその状態で器具類係合板の間に器具類を収容し、器具類係合板を器具類の両側面に挟持状態に係合せしめることによって行う。このように、器具類取付部材以外に釘、ビス、あるいは接着剤などの固着部材や工具類を一切使用することなく器具類を建築部材に取り付けうるので、熟練を要することなく誰でも極めて簡単に器具類を建築部材に取り付けうる。
【００３４】
また、器具類の取り付け状態にあっては、建築部材は第１および第２建築部材係合板により両側からしっかり挟持されるとともに、器具類は第１および第２器具類係合板により両側からしっかり挟持されているので、がたつきを生じない十分な取付強度が得られ、しかも外観性にも優れたものとなる。
【００３５】
また、建築部材からの器具類の取り外しについては、まず器具類を器具類係合板間の器具類収容部から抜き取りることにより行い、さらに建築部材からの器具類取付部材については、建築部材係合板を離間方向に移動せしめることにより行うので、器具類の取り付け時と同様に、何ら工具類を使用することなく、しかも簡単に建築部材から器具類を取り外し得る。
【００３６】
さらには、建築部材から器具類を取り外した後においても、器具類の取り付けにビス等の固着部材を一切使用していないことから、固着部材の痕が残ることがなく外観性に優れたものとなる。
【００３７】
以上のように、構成部品数が少なく、また工具類を必要とすることなく建築部材に対する器具類の取り付けおよび取り外しが容易に行え、さらに取り付け時および取り外し後の外観性も良く、それでいて十分な取付強度が得られるので、通常の建築物はもとより、特に工事現場等に用いられる仮設建築物について、作業の効率化、資材の繰り返し利用を一層向上させることが可能となる。
【図面の簡単な説明】
【図１】この発明の一実施形態であるスイッチ取付部材の一部切欠き斜視図である。
【図２】図１のスイッチ取付部材の取付前の状態を示す斜視図である。
【図３】図１のスイッチ取付部材の取付後の状態を示す斜視図である。
【図４】図３のスイッチ取付部材の上面図である。
【図５】この発明の他の実施形態であるスイッチ取付部材の一部切欠き斜視図である。
【符号の説明】
１・・・第１取付部品
１１・・・第１正面板
１２・・・第１柱係合板
１３・・・第１スイッチ係合板
２・・・第２取付部品
２１・・・第２正面板
２２・・・第２柱係合板
２３・・・第２スイッチ係合板
【図１】
0003775997.tif 000002
【図２】
0003775997.tif 000003
【図３】
0003775997.tif 000004
【図４】
0003775997.tif 000005
【図５】
0003775997.tif 000006